(57)【要約】【課題】複数の携帯端末のコンテンツを自動的に切り替えて再生させることができる再生装置を提供する。【解決手段】再生装置１０は通信部１２と再生部１６と制御部１５を備える。通信部１２は第１，第２の携帯端末２０，３０からコンテンツがストリーム配信される。再生部１６は通信部１２にストリーム配信されるコンテンツを再生する。制御部１５は、再生部１６が第１の携帯端末２０からストリーム配信されるコンテンツを再生中に第２の携帯端末３０からコンテンツの再生要求があると通信部１２から第２の携帯端末３０へ待機指示情報を送信させ、第１の携帯端末２０から第２の携帯端末３０に切り替えるために、通信部１２から第１の携帯端末２０へは待機指示情報を送信させ、第２の携帯端末３０へは再生要求情報を送信させ、第２の携帯端末３０からストリーム配信されるコンテンツを再生部１６に再生させる。【選択図】図１
2016181869.tif 000002
【特許請求の範囲】
【請求項１】
第１の携帯端末と、
第２の携帯端末と、
再生装置と、
を備え、
前記第１の携帯端末及び前記第２の携帯端末は、
前記再生装置と無線接続により通信する通信部と、
コンテンツを記録する記録部と、
操作情報を入力するための操作部と、
前記操作部によって入力された操作情報に基づいて、前記記録部に記録されているコンテンツを前記通信部によって前記再生装置へとストリーム配信させる制御部と、
をそれぞれ有し、
前記再生装置は、
前記第１の携帯端末または前記第２の携帯端末からストリーム配信されたコンテンツを無線接続により受信する通信部と、
前記通信部が受信したコンテンツを再生する再生部と、
前記再生部が前記第１の携帯端末からストリーム配信されているコンテンツを再生中に前記第２の携帯端末からコンテンツの再生要求があると、前記第２の携帯端末が待機状態になるように前記通信部から前記第２の携帯端末へ待機指示情報を送信させ、前記第１の携帯端末から前記第２の携帯端末に切り替えるために、前記第１の携帯端末が待機状態になるように前記通信部から前記第１の携帯端末へ待機指示情報を送信させ、前記第２の携帯端末から前記通信部へコンテンツがストリーム配信されるように前記通信部から前記第２の携帯端末へ再生要求情報を送信させ、前記第２の携帯端末からストリーム配信されるコンテンツを前記再生部に再生させる制御部と、
を有することを特徴とする再生システム。
【請求項２】
第１の携帯端末及び第２の携帯端末と無線接続され、前記第１の携帯端末及び前記第２の携帯端末からコンテンツがストリーム配信される通信部と、
前記通信部にストリーム配信されているコンテンツを再生する再生部と、
前記再生部が前記第１の携帯端末からストリーム配信されているコンテンツを再生中に前記第２の携帯端末からコンテンツの再生要求があると、前記第２の携帯端末が待機状態になるように前記通信部から前記第２の携帯端末へ待機指示情報を送信させ、前記第１の携帯端末から前記第２の携帯端末に切り替えるために、前記第１の携帯端末が待機状態になるように前記通信部から前記第１の携帯端末へ待機指示情報を送信させ、前記第２の携帯端末から前記通信部へコンテンツがストリーム配信されるように前記通信部から前記第２の携帯端末へ再生要求情報を送信させ、前記第２の携帯端末からストリーム配信されるコンテンツを前記再生部に再生させる制御部と、
を備えることを特徴とする再生装置。
【請求項３】
前記制御部は、前記第１の携帯端末からストリーム配信されているコンテンツの再生が終了するかコンテンツの再生を終了させると、前記第１の携帯端末から前記第２の携帯端末に切り替えることを特徴とする請求項２に記載の再生装置。
【請求項４】
表示部をさらに備え、
前記通信部は、前記第１の携帯端末及び前記第２の携帯端末からコンテンツの再生リストを受信し、
前記制御部は、前記表示部に、無線接続されている機器が前記第１の携帯端末及び前記第２の携帯端末であること、並びに、前記通信部が受信した再生リストを表示させ、前記通信部から前記再生リストの送信元の携帯端末へ、前記再生リストのコンテンツの再生要求情報を送信させることを特徴とする請求項２または３に記載の再生装置。
【請求項５】
第１の携帯端末からストリーム配信されているコンテンツを再生中に第２の携帯端末からコンテンツの再生要求があると、前記第２の携帯端末が待機状態になるように前記第２の携帯端末へ待機指示情報を送信し、
前記第１の携帯端末から前記第２の携帯端末に切り替えるために、前記第１の携帯端末が待機状態になるように前記第１の携帯端末へ待機指示情報を送信し、
前記第２の携帯端末からコンテンツがストリーム配信されるように前記第２の携帯端末へ再生要求情報を送信し、
前記第２の携帯端末からストリーム配信されるコンテンツを再生する、
ことを特徴とする再生方法。
【発明の詳細な説明】
【技術分野】
【０００１】
本発明は再生システム、再生装置、及び、再生方法に関する。
【背景技術】
【０００２】
再生装置とスマートホン等の携帯端末とを所定の近距離無線通信方式を用いて無線接続する再生システムが実現されている。これにより、例えば携帯端末の楽曲等のコンテンツを再生装置でストリーム再生することができる。
【０００３】
特許文献１には、再生装置と携帯端末とを無線接続する再生システムの一例が記載されている。
【先行技術文献】
【特許文献】
【０００４】
【特許文献１】特開２０１３−２３６３４６号公報
【発明の概要】
【発明が解決しようとする課題】
【０００５】
しかしながら、特許文献１に記載されているような従来の再生システムや再生装置では、複数の携帯端末のコンテンツを切り替えて再生する場合、コンテンツを再生中の携帯端末との接続を遮断した後に、他の携帯端末との接続を行うため、切り替え操作が煩雑である。
【０００６】
また、複数の携帯端末のコンテンツを切り替えて再生する場合、再生装置の操作者と複数の携帯端末のそれぞれの操作者とがその都度、相談し合わなければならない。
【０００７】
本発明はこのような問題点に鑑み、複数の携帯端末のコンテンツを自動的に切り替えて再生させることができる再生システム、再生装置、及び、再生方法を提供することを目的とする。
【課題を解決するための手段】
【０００８】
本発明は、第１の携帯端末と、第２の携帯端末と、再生装置と、を備え、前記第１の携帯端末及び前記第２の携帯端末は、前記再生装置と無線接続により通信する通信部と、コンテンツを記録する記録部と、操作情報を入力するための操作部と、前記操作部によって入力された操作情報に基づいて、前記記録部に記録されているコンテンツを前記通信部によって前記再生装置へとストリーム配信させる制御部と、をそれぞれ有し、前記再生装置は、前記第１の携帯端末または前記第２の携帯端末からストリーム配信されたコンテンツを無線接続により受信する通信部と、前記通信部が受信したコンテンツを再生する再生部と、前記再生部が前記第１の携帯端末からストリーム配信されているコンテンツを再生中に前記第２の携帯端末からコンテンツの再生要求があると、前記第２の携帯端末が待機状態になるように前記通信部から前記第２の携帯端末へ待機指示情報を送信させ、前記第１の携帯端末から前記第２の携帯端末に切り替えるために、前記第１の携帯端末が待機状態になるように前記通信部から前記第１の携帯端末へ待機指示情報を送信させ、前記第２の携帯端末から前記通信部へコンテンツがストリーム配信されるように前記通信部から前記第２の携帯端末へ再生要求情報を送信させ、前記第２の携帯端末からストリーム配信されるコンテンツを前記再生部に再生させる制御部と、を有することを特徴とする再生システムを提供する。
【０００９】
また、本発明は、第１の携帯端末及び第２の携帯端末と無線接続され、前記第１の携帯端末及び前記第２の携帯端末からコンテンツがストリーム配信される通信部と、前記通信部にストリーム配信されているコンテンツを再生する再生部と、前記再生部が前記第１の携帯端末からストリーム配信されているコンテンツを再生中に前記第２の携帯端末からコンテンツの再生要求があると、前記第２の携帯端末が待機状態になるように前記通信部から前記第２の携帯端末へ待機指示情報を送信させ、前記第１の携帯端末から前記第２の携帯端末に切り替えるために、前記第１の携帯端末が待機状態になるように前記通信部から前記第１の携帯端末へ待機指示情報を送信させ、前記第２の携帯端末から前記通信部へコンテンツがストリーム配信されるように前記通信部から前記第２の携帯端末へ再生要求情報を送信させ、前記第２の携帯端末からストリーム配信されるコンテンツを前記再生部に再生させる制御部と、を備えることを特徴とする再生装置を提供する。
【００１０】
また、本発明は、第１の携帯端末からストリーム配信されているコンテンツを再生中に第２の携帯端末からコンテンツの再生要求があると、前記第２の携帯端末が待機状態になるように前記第２の携帯端末へ待機指示情報を送信し、前記第１の携帯端末から前記第２の携帯端末に切り替えるために、前記第１の携帯端末が待機状態になるように前記第１の携帯端末へ待機指示情報を送信し、前記第２の携帯端末からコンテンツがストリーム配信されるように前記第２の携帯端末へ再生要求情報を送信し、前記第２の携帯端末からストリーム配信されるコンテンツを再生する、ことを特徴とする再生方法を提供する。
【発明の効果】
【００１１】
本発明の再生システム、再生装置、及び、再生方法によれば、複数の携帯端末のコンテンツを自動的に切り替えて再生させることができる。
【図面の簡単な説明】
【００１２】
【図１】実施形態の再生装置を説明するための概念図である。
【図２】実施形態の再生装置の再生方法の実施例１を説明するためのフローチャートである。
【図３】実施形態の再生装置の表示部の表示例を示す模式図である。
【図４】実施形態の再生装置の表示部の表示例を示す模式図である。
【図５】実施形態の再生装置の表示部の表示例を示す模式図である。
【図６】実施形態の再生装置の表示部の表示例を示す模式図である。
【図７】実施形態の再生装置の再生方法の実施例２を説明するためのフローチャートである。
【発明を実施するための形態】
【００１３】
図１に示すように、再生システム１は、再生装置１０、携帯端末（第１の携帯端末）２０、及び、携帯端末（第２の携帯端末）３０を有して構成されている。
【００１４】
再生装置１０と、携帯端末２０及び携帯端末３０とは、所定の近距離無線通信方式によって無線接続されている。近距離無線通信方式は、一例としてブルートゥース（登録商標）である。
【００１５】
再生装置１０は、例えば車載用の再生装置（車載器）であり、運転者Ａまたは助手席の同乗者Ｂによって操作される。
【００１６】
再生装置１０は、マルチペアリングの機能、及び、マルチポイントの機能を有する。
【００１７】
マルチペアリングとは、ペアリング情報を複数保持する機能である。マルチペアリングにより、複数の携帯端末とペアリングすることが可能になる。そのため、ペアリングする度にパスコードを入力する必要がない。
【００１８】
マルチポイントとは、複数の機器と同時にペアリング状態を維持する機能である。マルチポイントにより、複数の携帯端末と同時に通信することが可能になる。
【００１９】
再生装置１０は、通信部１２、操作部１３、表示部１４、制御部１５、再生部１６、及び、出力部１７を備えている。再生装置１０は、通信部１２を介して携帯端末２０及び携帯端末３０と無線接続され、それぞれとペアリングを行う。
【００２０】
通信部１２は、携帯端末２０及び携帯端末３０から、楽曲等のコンテンツやコンテンツの再生リスト（プレイリスト）のデータをそれぞれ受信する。
【００２１】
運転者Ａまたは助手席の同乗者Ｂは、操作部１３によって、ペアリングされている携帯端末２０，３０の選択、プレイリストやコンテンツの選択、コンテンツの再生、停止、スキップ等の操作を入力することができる。
【００２２】
操作部１３は、再生装置１０の本体に設けられている操作ボタンでもよいし、リモートコントローラでもよい。
【００２３】
表示部１４には、ペアリングされている携帯端末２０，３０、コンテンツやプレイリスト等が表示される。
【００２４】
制御部１５は、操作部１３で入力された操作情報に基づいて再生部１６を制御する。
【００２５】
制御部１５は、通信部１２を介して、携帯端末２０，３０それぞれとのペアリングを実行する。制御部１５は、携帯端末２０，３０とペアリングしていることを表示部１４に表示させる。
【００２６】
制御部１５には、通信部１２からプレイリストのデータが入力される。制御部１５は、選択された、または再生中のプレイリストやプレイリストのコンテンツを表示部１４に表示させる。
【００２７】
再生部１６には、制御部１５から、操作部１３で入力された操作情報に基づく操作信号が入力される。
【００２８】
再生部１６には、通信部１２からコンテンツのデータが入力される。
【００２９】
例えば、再生部１６は、通信部１２を介してストリーム配信される携帯端末２０のコンテンツデータ（例えば楽曲データ）を、出力部１７を介してスピーカ１９へ出力することで、携帯端末２０のコンテンツをストリーム再生することができる。
【００３０】
また、再生部１６は、通信部１２を介してストリーム配信される携帯端末３０のコンテンツデータを、出力部１７を介してスピーカ１９へ出力することで、携帯端末３０のコンテンツをストリーム再生することができる。
【００３１】
携帯端末２０は、再生装置１０と無線接続される。携帯端末２０は、例えば後部座席の同乗者Ｃによって操作される。
【００３２】
携帯端末２０は、通信部２２、操作部２３、表示部２４、制御部２５、及び、記録部２６を備えている。携帯端末２０は、通信部２２を介して再生装置１０と無線接続され、ペアリングされる。
【００３３】
記録部２６にはストリーム再生用のアプリケーションプログラムが格納されている。
【００３４】
ストリーム再生用のアプリケーションプログラムは、オーディオストリーミング用プロファイル、及び、遠隔操作用プロファイルを含む。
【００３５】
オーディオストリーミング用プロファイルは、再生装置１０へ楽曲データ等のコンテンツデータをストリーム配信したりプレイリストデータを送信したりする機能を有する。
【００３６】
遠隔操作用プロファイルは、再生装置１０を遠隔操作する機能を有する。
【００３７】
記録部２６には、例えば同乗者Ｃによって格納されたコンテンツやそのコンテンツを用いて編集されたプレイリストのデータが記録されている。
【００３８】
記録部２６として、内蔵されたフラッシュメモリなどの記憶装置の他、内蔵型のＳＳＤ（Solid State Drive）やハードディスク、または外付けのフラッシュメモリ等の記録媒体を用いることができる。フラッシュメモリは、メモリカード（例えばＳＤカード）であってもよい。
【００３９】
同乗者Ｃは、操作部２３によって、記録部２６に格納されているアプリケーションプログラムの選択、記録部２６に記録されているプレイリストやコンテンツの選択、コンテンツの再生、停止、スキップ等の操作を入力することができる。
【００４０】
表示部２４には、記録部２６に格納されているアプリケーションプログラムを識別するためのアイコン、プレイリストやコンテンツ等が表示される。
【００４１】
制御部２５は、通信部２２を介して、再生装置１０とのペアリングを実行する。
【００４２】
制御部２５は、操作部２３で入力された操作情報に基づいて、記録部２６に格納されているアプリケーションプログラムを実行させる。
【００４３】
制御部２５は、操作部２３で入力された操作情報に基づいて、通信部２２から再生装置１０へ、記録部２６に記録されているプレイリストのデータを送信させたり、コンテンツデータをストリーム配信させたりする。
【００４４】
制御部２５は、選択されたプレイリストやコンテンツを表示部２４に表示させる。
【００４５】
携帯端末３０は、再生装置１０と無線接続される。携帯端末３０は、例えば後部座席の同乗者Ｄによって操作される。
【００４６】
携帯端末３０は、通信部３２、操作部３３、表示部３４、制御部３５、及び、記録部３６を備えている。携帯端末３０は、通信部３２を介して再生装置１０と無線接続され、ペアリングされる。
【００４７】
記録部３６には、携帯端末２０の記録部２６に格納されているストリーム再生用のアプリケーションプログラムと同様の機能を有するストリーム再生用のアプリケーションプログラムが格納されている。
【００４８】
記録部３６には、例えば同乗者Ｄによって格納されたコンテンツやそのコンテンツを用いて編集されたプレイリストのデータが記録されている。
【００４９】
記録部３６として、内蔵されたフラッシュメモリなどの記憶装置の他、内蔵型のＳＳＤやハードディスク、または外付けのフラッシュメモリ等の記録媒体を用いることができる。フラッシュメモリは、メモリカード（例えばＳＤカード）であってもよい。
【００５０】
同乗者Ｄは、操作部３３によって、記録部３６に格納されているアプリケーションプログラムの選択、記録部３６に記録されているプレイリストやコンテンツの選択、コンテンツの再生、停止、スキップ等の操作を入力することができる。
【００５１】
表示部３４には、記録部３６に格納されているアプリケーションプログラムを識別するためのアイコン、プレイリストやコンテンツ等が表示される。
【００５２】
制御部３５は、通信部３２を介して、再生装置１０とのペアリングを実行する。
【００５３】
制御部３５は、操作部３３で入力された操作情報に基づいて、記録部３６に格納されているアプリケーションプログラムを実行させる。
【００５４】
制御部３５は、操作部３３で入力された操作情報に基づいて、通信部３２から再生装置１０へ、記録部３６に記録されているプレイリストのデータを送信させたり、コンテンツデータをストリーム配信させたりする。
【００５５】
制御部３５は、選択されたプレイリストやコンテンツを表示部３４に表示させる。
【００５６】
次に、図２〜図７を用いて、携帯端末２０と携帯端末３０とを再生装置１０によって切り替えて、プレイリストやコンテンツの再生を行う再生方法の各実施例を説明する。
【００５７】
［実施例１］
図２〜図６を用いて、実施例１を説明する。
【００５８】
図２に示すように、再生装置１０は、ステップＳ１にて、初期状態に設定されている。図３に示すように、初期状態では、表示部１４は例えば楽曲再生用の画面に設定されている。
【００５９】
図２に示すように、携帯端末２０は、ステップＳ２にて、無線接続が実行されるように、操作部２３が同乗者Ｃによって操作される。これにより、再生装置１０と携帯端末２０とは、通信部１２と通信部２２とを介して無線接続される。
【００６０】
再生装置１０は、ステップＳ３にて、制御部１５が携帯端末２０とのペアリングを実行させる。
【００６１】
携帯端末２０は、ステップＳ４にて、制御部２５が再生装置１０とのペアリングを実行させる。
【００６２】
携帯端末３０は、ステップＳ５にて、無線接続が実行されるように、操作部３３が同乗者Ｄによって操作される。これにより、再生装置１０と携帯端末３０とは、通信部１２と通信部３２とを介して無線接続される。
【００６３】
再生装置１０は、ステップＳ６にて、制御部１５が携帯端末３０とのペアリングを実行させる。
【００６４】
携帯端末３０は、ステップＳ７にて、制御部３５が再生装置１０とのペアリングを実行させる。
【００６５】
再生装置１０は、ステップＳ８にて、制御部１５が携帯端末２０，３０を例えばオーディオ再生装置として認識する。図４に示すように、制御部１５は、無線接続されているオーディオ再生装置が携帯端末２０，３０であることを表示部１４に表示させる。
【００６６】
図２に示すように、携帯端末２０は、ステップＳ９にて、ストリーム再生用のアプリケーションプログラムが実行されるように、操作部２３が同乗者Ｃによって操作される。制御部２５は、操作部２３からの操作情報に基づいて、記録部２６に格納されているストリーム再生用のアプリケーションプログラムを実行させる。
【００６７】
携帯端末３０は、ステップＳ１０にて、ストリーム再生用のアプリケーションプログラムが実行されるように、操作部３３が同乗者Ｄによって操作される。制御部３５は、操作部３３からの操作情報に基づいて、記録部３６に格納されているストリーム再生用のアプリケーションプログラムを実行させる。
【００６８】
再生装置１０は、ステップＳ１１にて、例えば携帯端末２０に記録されているプレイリストのデータが携帯端末２０から送信されるように、操作部１３が運転者Ａまたは助手席の同乗者Ｂによって操作される。制御部１５は、プレイリストの送信要求情報を通信部１２から携帯端末２０へ送信させる。
【００６９】
携帯端末２０は、ステップＳ１２にて、通信部２２が再生装置１０からプレイリストの送信要求情報を受信する。
【００７０】
携帯端末２０は、ステップＳ１３にて、制御部２５が、通信部２２で受信したプレイリストの送信要求情報に基づき、記録部２６に記録されているプレイリストのデータを通信部２２から再生装置１０へ送信させる。
【００７１】
再生装置１０は、ステップＳ１４にて、通信部１２が携帯端末２０からプレイリストのデータを受信する。図５に示すように、制御部１５は、携帯端末２０から受信したプレイリストを表示部１４に表示させる。
【００７２】
図２に示すように、再生装置１０は、ステップＳ１５にて、制御部１５が、携帯端末２０から受信したプレイリストのコンテンツ（例えば楽曲）の再生要求情報を通信部１２から携帯端末２０へ送信させる。
【００７３】
携帯端末２０は、ステップＳ１６にて、通信部２２が再生装置１０からプレイリストのコンテンツの再生要求情報を受信する。
【００７４】
携帯端末２０は、ステップＳ１７にて、制御部２５が、通信部２２で受信したプレイリストのコンテンツの再生要求情報に基づき、記録部２６に記録されているプレイリストのコンテンツを、通信部２２から再生装置１０へ順次、ストリーム配信させる。
【００７５】
再生装置１０は、ステップＳ１８にて、再生部１６が、携帯端末２０から通信部１２を介してストリーム配信されるコンテンツのストリーム再生を行う。
ストリーム再生されるコンテンツ（楽曲）は、出力部１７を介してスピーカ１９から出力される。
【００７６】
携帯端末３０は、ステップＳ１９にて、記録部３６から所望のプレイリストが選択されるように、操作部３３が同乗者Ｄによって操作される。制御部３５は、選択されたプレイリストの再生要求情報を、通信部３２から再生装置１０へ送信させる。
【００７７】
再生装置１０は、ステップＳ２０にて、通信部１２が携帯端末３０からプレイリストの再生要求情報を受信する。
【００７８】
再生装置１０は、ステップＳ２１にて、制御部１５が、携帯端末２０のコンテンツがストリーム再生中であることを認識し、待機指示情報を通信部１２から携帯端末３０へ送信させる。
【００７９】
携帯端末３０は、ステップＳ２２にて、通信部３２が再生装置１０から待機指示情報を受信する。
【００８０】
携帯端末３０は、ステップＳ２３にて、制御部３５が、通信部３２で受信した待機指示情報に基づき、待機状態へ移行させる。なお、待機状態においても携帯端末３０と再生装置１０との無線接続（ペアリング）は維持されている。
【００８１】
携帯端末２０は、ステップＳ２４にて、制御部２５が、ストリーム配信されているコンテンツの再生終了情報を、通信部２２から再生装置１０へ送信させる。
【００８２】
再生装置１０は、ステップＳ２５にて、通信部１２が携帯端末２０からストリーム配信されているコンテンツの再生終了情報を受信する。
【００８３】
再生装置１０は、携帯端末２０から携帯端末３０に切り替えるために、ステップＳ２６にて、制御部１５が待機指示情報を通信部１２から携帯端末２０へ送信させる。
【００８４】
携帯端末２０は、ステップＳ２７にて、通信部２２が再生装置１０から待機指示情報を受信する。
【００８５】
携帯端末２０は、ステップＳ２８にて、制御部２５が、通信部２２で受信した待機指示情報に基づき、ストリーム配信を停止して待機状態へ移行させる。なお、待機状態においても携帯端末２０と再生装置１０との無線接続（ペアリング）は維持されている。
【００８６】
再生装置１０は、ステップＳ２９にて、制御部１５が待機解除指示情報を通信部１２から携帯端末３０へ送信させる。
【００８７】
携帯端末３０は、ステップＳ３０にて、通信部３２が再生装置１０から待機解除指示情報を受信する。
【００８８】
再生装置１０は、ステップＳ３１にて、制御部１５がプレイリストの送信要求情報を通信部１２から携帯端末３０へ送信させる。
【００８９】
携帯端末３０は、ステップＳ３２にて、通信部３２が再生装置１０からプレイリストの送信要求情報を受信する。
【００９０】
携帯端末３０は、ステップＳ３３にて、制御部３５が、ステップＳ１９で選択された所望のプレイリストのデータを通信部３２から再生装置１０へ送信させる。
【００９１】
再生装置１０は、ステップＳ３４にて、通信部１２が携帯端末３０からプレイリストのデータを受信する。図６に示すように、制御部１５は、すでに表示されている携帯端末２０のプレイリストを、携帯端末３０から受信したプレイリストに切り替えて表示部１４に表示させる。
【００９２】
図２に示すように、再生装置１０は、ステップＳ３５にて、制御部１５が、携帯端末３０から受信したプレイリストのコンテンツ（例えば楽曲）の再生要求情報を、通信部１２から携帯端末３０へ送信させる。
【００９３】
携帯端末３０は、ステップＳ３６にて、通信部３２が再生装置１０からプレイリストのコンテンツの再生要求情報を受信する。
【００９４】
携帯端末３０は、ステップＳ３７にて、制御部３５が、記録部３６に記録されているプレイリストのコンテンツを、通信部３２から再生装置１０へストリーム配信させる。
【００９５】
再生装置１０は、ステップＳ３８にて、再生部１６が、携帯端末３０から通信部１２を介してストリーム配信されるコンテンツのストリーム再生を行う。ストリーム再生されるコンテンツ（楽曲）は、出力部１７を介してスピーカ１９から出力される。
【００９６】
［実施例２］
図３〜図７を用いて、実施例２を説明する。実施例１では、運転者Ａまたは助手席の同乗者Ｂが再生装置１０を操作して携帯端末２０のプレイリストを要求する。
一方，実施例２は、運転者Ａまたは助手席の同乗者Ｂが再生装置１０を操作せずに、後部座席の同乗者Ｃが携帯端末２０を操作してプレイリストを指定する点で相違する。
【００９７】
図７に示すように、再生装置１０は、ステップＳ５０にて、初期状態に設定されている。図３に示すように、初期状態では、表示部１４は例えば楽曲再生用の画面に設定されている。
【００９８】
図７に示すように、携帯端末２０は、ステップＳ５１にて、無線接続が実行されるように、操作部２３が同乗者Ｃによって操作される。これにより、再生装置１０と携帯端末２０とは、通信部１２と通信部２２とを介して無線接続される。
【００９９】
再生装置１０は、ステップＳ５２にて、制御部１５が携帯端末２０とのペアリングを実行する。
【０１００】
携帯端末２０は、ステップＳ５３にて、制御部２５が再生装置１０とのペアリングを実行する。
【０１０１】
携帯端末３０は、ステップＳ５４にて、無線接続が実行されるように、操作部３３が同乗者Ｄによって操作される。これにより、再生装置１０と携帯端末３０とは、通信部１２と通信部３２とを介して無線接続される。
【０１０２】
再生装置１０は、ステップＳ５５にて、制御部１５が携帯端末３０とのペアリングを実行させる。
【０１０３】
携帯端末３０は、ステップＳ５６にて、制御部３５が再生装置１０とのペアリングを実行させる。
【０１０４】
再生装置１０は、ステップＳ５７にて、制御部１５が携帯端末２０，３０を例えばオーディオ再生装置として認識する。図４に示すように、制御部１５は、無線接続されているオーディオ再生装置が携帯端末２０，３０であることを表示部１４に表示させる。
【０１０５】
図７に示すように、携帯端末２０は、ステップＳ５８にて、ストリーム再生用のアプリケーションプログラムが実行されるように、操作部２３が同乗者Ｃによって操作される。制御部２５は、記録部２６に格納されているストリーム再生用のアプリケーションプログラムを実行させる。
【０１０６】
携帯端末３０は、ステップＳ５９にて、ストリーム再生用のアプリケーションプログラムが実行されるように、操作部３３が同乗者Ｄによって操作される。制御部３５は、記録部３６に格納されているストリーム再生用のアプリケーションプログラムを実行させる。
【０１０７】
携帯端末２０は、ステップＳ６０にて、記録部２６から所望のプレイリストが選択されるように、操作部２３が同乗者Ｃによって操作される。制御部２５は、選択されたプレイリストの再生要求情報を、通信部２２から再生装置１０へ送信させる。
【０１０８】
再生装置１０は、ステップＳ６１にて、通信部１２が携帯端末２０からプレイリストの再生要求情報を受信する。
【０１０９】
再生装置１０は、ステップＳ６２にて、制御部１５がプレイリストの送信要求情報を通信部１２から携帯端末２０へ送信させる。
【０１１０】
携帯端末２０は、ステップＳ６３にて、通信部２２が再生装置１０からプレイリストの送信要求情報を受信する。
【０１１１】
携帯端末２０は、ステップＳ６４にて、制御部２５が、ステップＳ６０で選択された所望のプレイリストのデータを、通信部２２から再生装置１０へ送信させる。
【０１１２】
再生装置１０は、ステップＳ６５にて、通信部１２が携帯端末２０からプレイリストのデータを受信する。図５に示すように、制御部１５は、携帯端末２０から受信したプレイリストを表示部１４に表示させる。
【０１１３】
図７に示すように、再生装置１０は、ステップＳ６６にて、制御部１５が、受信した携帯端末２０のプレイリストのコンテンツ（例えば楽曲）の再生要求情報を、通信部１２から携帯端末２０へ送信させる。
【０１１４】
携帯端末２０は、ステップＳ６７にて、通信部２２が再生装置１０からプレイリストのコンテンツの再生要求情報を受信する。
【０１１５】
携帯端末２０は、ステップＳ６８にて、制御部２５が、記録部２６に記録されているプレイリストのコンテンツを、通信部２２から再生装置１０へストリーム配信させる。
【０１１６】
再生装置１０は、ステップＳ６９にて、再生部１６が携帯端末２０から通信部１２を介してストリーム配信されるコンテンツのストリーム再生を行う。ストリーム再生されるコンテンツ（楽曲）は、出力部１７を介してスピーカ１９から出力される。
【０１１７】
携帯端末３０は、ステップＳ７０にて、記録部３６から所望のプレイリストが選択されるように、操作部３３が同乗者Ｄによって操作される。制御部３５は、選択されたプレイリストの再生要求情報を、通信部３２から再生装置１０へ送信させる。
【０１１８】
再生装置１０は、ステップＳ７１にて、通信部１２が携帯端末３０からプレイリストの再生要求情報を受信する。
【０１１９】
再生装置１０は、ステップＳ７２にて、制御部１５が、携帯端末２０のプレイリストのコンテンツが再生中であることを認識し、待機指示情報を通信部１２から携帯端末３０へ送信させる。
【０１２０】
携帯端末３０は、ステップＳ７３にて、通信部３２が再生装置１０から待機指示情報を受信する。
【０１２１】
携帯端末３０は、ステップＳ７４にて、制御部３５が、通信部３２で受信した待機指示情報に基づき、待機状態へ移行させる。なお、待機状態においても携帯端末３０と再生装置１０との無線接続（ペアリング）は維持されている。
【０１２２】
携帯端末２０は、ステップＳ７５にて、制御部２５が、ストリーム配信されているコンテンツの再生終了情報を、通信部２２から再生装置１０へ送信させる。
【０１２３】
再生装置１０は、ステップＳ７６にて、通信部１２が携帯端末２０からストリーム配信されているコンテンツの再生終了情報を受信する。
【０１２４】
再生装置１０は、携帯端末２０から携帯端末３０に切り替えるために、ステップＳ７７にて、制御部１５が待機指示情報を通信部１２から携帯端末２０へ送信させる。
【０１２５】
携帯端末２０は、ステップＳ７８にて、通信部２２が再生装置１０から待機指示情報を受信する。
【０１２６】
携帯端末２０は、ステップＳ７９にて、制御部２５が、通信部２２で受信した待機指示情報に基づき、ストリーム配信を停止して待機状態へ移行させる。なお、待機状態においても携帯端末２０と再生装置１０との無線接続（ペアリング）は維持されている。
【０１２７】
再生装置１０は、ステップＳ８０にて、制御部１５が待機解除指示情報を通信部１２から携帯端末３０へ送信させる。
【０１２８】
携帯端末３０は、ステップＳ８１にて、通信部３２が再生装置１０から待機解除指示情報を受信する。
【０１２９】
再生装置１０は、ステップＳ８２にて、制御部１５がプレイリストの送信要求情報を通信部１２から携帯端末３０へ送信させる。
【０１３０】
携帯端末３０は、ステップＳ８３にて、通信部３２が再生装置１０からプレイリストの送信要求情報を受信する。
【０１３１】
携帯端末３０は、ステップＳ８４にて、制御部３５が、ステップＳ７０で選択された所望のプレイリストのデータを、通信部３２から再生装置１０へ送信させる。
【０１３２】
再生装置１０は、ステップＳ８５にて、通信部１２が携帯端末３０からプレイリストのデータを受信する。図６に示すように、制御部１５は、すでに表示されている携帯端末２０のプレイリストを、携帯端末３０から受信したプレイリストに切り替えて表示部１４に表示させる。
【０１３３】
図７に示すように、再生装置１０は、ステップＳ８６にて、制御部１５が、携帯端末３０から受信したプレイリストのコンテンツ（例えば楽曲）の再生要求情報を、通信部１２から携帯端末３０へ送信させる。
【０１３４】
携帯端末３０は、ステップＳ８７にて、通信部３２が再生装置１０からプレイリストのコンテンツの再生要求情報を受信する。
【０１３５】
携帯端末３０は、ステップＳ８８にて、制御部３５が、記録部３６に記録されているプレイリストのコンテンツを、通信部３２から再生装置１０へストリーム配信させる。
【０１３６】
再生装置１０は、ステップＳ８９にて、再生部１６が、携帯端末３０から通信部１２を介してストリーム配信されるコンテンツのストリーム再生を行う。ストリーム再生されるコンテンツ（楽曲）は、出力部１７を介してスピーカ１９から出力される。
【０１３７】
以上のように、本実施形態の再生システム、再生装置、及び、再生方法では、一方の携帯端末のコンテンツを再生中に他方の携帯端末から再生要求があった場合、他方の携帯端末を待機状態に移行させる。そして、再生中のコンテンツが終了した後、一方の携帯端末を待機状態に移行させ、他方の携帯端末のコンテンツの再生を開始させる。
【０１３８】
従って、本実施形態の再生システム、再生装置、及び、再生方法によれば、複数の携帯端末のコンテンツを自動的に切り替えて再生させることができる。
【０１３９】
なお、本発明に係る実施形態は、上述した構成に限定されるものではなく、本発明の要旨を逸脱しない範囲において種々変更可能である。
【０１４０】
例えば、本実施形態の再生装置１０では２つの携帯端末２０，３０とペアリングを実行したが、これに限定されるものではない。再生装置１０は、マルチペアリングの機能によって、３つ以上の携帯端末とのペアリングを実行することができる。従って、本実施形態の再生装置１０は、３つ以上の携帯端末に対しても対応可能である。
【０１４１】
また、実施例１，２では再生中のコンテンツが終了した後に他の携帯端末のコンテンツの再生を開始させるが、これに限定されるものではない。
【０１４２】
例えば、一方の携帯端末のコンテンツを再生中に他方の携帯端末から再生要求があった時点で、再生中のコンテンツの音量を小さくさせる。そして、音量がゼロになった時点で再生を終了させて、一方の携帯端末を待機状態に移行させ、他方の携帯端末のコンテンツの再生を開始させるようにしてもよい。
【符号の説明】
【０１４３】
１  再生システム
１０  再生装置
１２，２２，３２  通信部
１３，２３，３３  操作部
１４，２４，３４  表示部
１５，２５，３５  制御部
１６  再生部
２０  携帯端末（第１の携帯端末）
２６，３６  記録部
３０  携帯端末（第２の携帯端末）
【図１】
2016181869.tif 000003
【図２】
2016181869.tif 000004
【図３】
2016181869.tif 000005
【図４】
2016181869.tif 000006
【図５】
2016181869.tif 000007
【図６】
2016181869.tif 000008
【図７】
2016181869.tif 000009